(57)【特許請求の範囲】
【請求項１】
互いに分離した座と背もたれとを備えており、前記座はその左右両側に配置されたサイドフレームで支持されており、更に、前記背もたれの裏側には、当該背もたれの少なくとも上端部まで延びると共に当該背もたれの左右側縁の左右内側に位置した背支柱が配置されている、という構成において、
前記サイドフレームは着座した人の肘が載り得る高さ位置で前後方向に延びるアッパーメンバーを備えており、前記左右サイドフレームにおけるアッパーメンバーの後端と背支柱の上下中途高さ部位とが、前記背もたれの後ろに位置して左右外向きに延びる横向きアーム部と前記背もたれの左右外側に位置して前記横向きアーム部の先端から手前に向けて延びる前向きアーム部とを有するブラケットで連結されている一方、
前記背もたれは着座した人が凭れ掛かると後ろ向きに撓む柔軟な素材からなっており、前記背もたれは、その上端部を前記背支柱に取り付けると共に中途高さ部位の左右側部を前記ブラケットに取り付けることにより、着座した人の体圧で撓み変形することが許容されている、
椅子。
【請求項２】
前記座は左右サイドフレームに差し渡し固定されたステーに締結されている一方、前記背支柱は座の下面に固定されており、更に、前記背もたれは着座した人の腰部を後ろから支えるよう縦断側面視で前向き凸状になったランバーサポート部を有しており、前記ランバーサポート部の左右両端部が前記ブラケットの横向きアーム部に連結されている、
請求項１に記載した椅子。
【請求項３】
前記サイドフレームにおけるアッパーメンバーの後端部と前記ブラケットの前端部とは互いに嵌合して固定されていると共に、前記サイドフレームのアッパーメンバーには肘当てが上方から重なっており、前記肘当ての前部はビスでサイドフレームに固定されている一方、前記肘当ての後端部は前記ブラケットの前向きアーム部に上向き動不能に保持されている、
請求項１又は２に記載した椅子。
【請求項４】
前記サイドフレームはパイプ製であり、このサイドフレームにおけるアッパーメンバーの後端部に前記ブラケットにおける前向きアーム部に設けたボス部が挿入固定されており、更に、前記肘当ての後端部には側面視後ろ向き鉤状の係止爪が下向きに突設されており、前記ブラケットのボス部に、前記肘当ての係合爪が上向き動不能に入り込む係合穴が形成されており、かつ、前記サイドフレームにおけるアッパーメンバーのうち前記ブラケットのボス部に嵌まった部分に、前記肘当ての係合爪が前記ブラケットの係合穴に嵌まることを許容する逃がし穴を空けている、
請求項３に記載した椅子。
【発明の詳細な説明】
【技術分野】
【０００１】
本願発明は、座がサイドフレーム（脚フレーム）で支持されている簡易構造の椅子に関するものである。
【背景技術】
【０００２】
椅子の脚をパイプや棒材で構成した簡易な構造の椅子（骨組みをフレーム構造とした椅子）は、会議室用や講演会場用、或いは商談用等に広く使用されている。そして、この種の椅子において脚フレームは様々の形態が提案されており、本願出願人はその一例を特許文献１で提案した。
【０００３】
すなわち特許文献１（図１〜２の実施形態）において、脚フレームは座の左右外側に配置された左右のサイドフレームを有する形態になっており、サイドフレームの接地部に、座をその前後中途部において下方から支持する側面視前傾姿勢の補助支柱部が設けられている一方、サイドフレームは座よりも高い位置において前後方向に延びる梁状部（アッパーメンバー）を有して、梁状部の後端を背もたれの裏側に回り込ませて、この回り込み部に背もたれが連結されている。この特許文献１において座と背もたれとは一体に連続しており、また、サイドフレームの梁状部に肘当てを取り付けることができる。
【特許文献１】特開２００６−２３９０７９号公報
【発明の開示】
【発明が解決しようとする課題】
【０００４】
特許文献１の発明は、脚フレームの撓み変形を有効に利用して背もたれに高いロッキング性能を付与することを主たる目的としており、そこで、補助支柱部を傾斜姿勢にし、かつ、サイドフレームの後端に背もたれを連結している。
【０００５】
本願発明は特許文献と同様にサイドフレームを有する椅子において、ロッキング時のクッション性とフィット性とをより向上することや、サイドフレームに肘当てを能率良く取り付けできるようにすること等を目的するものである。
【課題を解決するための手段】
【０００６】
本願発明の椅子は、互いに分離した座と背もたれとを備えており、前記座はその左右両側に配置されたサイドフレームで支持されており、更に、前記背もたれの裏側には、当該背もたれの少なくとも上端部まで延びると共に当該背もたれの左右側縁の左右内側に位置した背支柱が配置されている、という基本構成になっている。そして、請求項１の発明では、上記基本構成において、前記サイドフレームは着座した人の肘が載り得る高さ位置で前後方向に延びるアッパーメンバーを備えており、前記左右サイドフレームにおけるアッパーメンバーの後端と背支柱の上下中途高さ部位とが、前記背もたれの後ろに位置して左右外向きに延びる横向きアーム部と前記背もたれの左右外側に位置して前記横向きアーム部の先端から手前に向けて延びる前向きアーム部とを有するブラケットで連結されている一方、前記背もたれは着座した人が凭れ掛かると後ろ向きに撓む柔軟な素材からなっており、前記背もたれは、その上端部を前記背支柱に取り付けると共に中途高さ部位の左右側部を前記ブラケットに取り付けることにより、着座した人の体圧で撓み変形することが許容されている。
【０００７】
請求項２の発明は、請求項１において、前記座は左右サイドフレームに差し渡し固定されたステーに締結されている一方、前記背支柱は座の下面に固定されており、更に、前記背もたれは着座した人の腰部を後ろから支えるよう縦断側面視で前向き凸状になったランバーサポート部を有しており、前記ランバーサポート部の左右両端部が前記ブラケットの横向きアーム部に連結されている。
【０００８】
請求項３の発明は、請求項１又は２の椅子に肘当てを取り付ける構造に関するものであり、この発明では、前記サイドフレームにおけるアッパーメンバーの後端部と前記ブラケットの前端部とは互いに嵌合して固定されていると共に、前記サイドフレームのアッパーメンバーには肘当てが上方から重なっており、前記肘当ての前部はビスでサイドフレームに固定されている一方、前記肘当ての後端部は前記ブラケットの前向きアーム部に上向き動不能に保持されている。
【０００９】
請求項４の発明は請求項３の展開例であり、請求項３において、前記サイドフレームはパイプ製であり、このサイドフレームにおけるアッパーメンバーの後端部に前記ブラケットにおける前向きアーム部に設けたボス部が挿入固定されており、更に、前記肘当ての後端部には側面視後ろ向き鉤状の係止爪が下向きに突設されており、前記ブラケットのボス部に、前記肘当ての係合爪が上向き動不能に入り込む係合穴が形成されており、かつ、前記サイドフレームにおけるアッパーメンバーのうち前記ブラケットのボス部に嵌まった部分に、前記肘当ての係合爪が前記ブラケットの係合穴に嵌まることを許容する逃がし穴を空けている。
【発明の効果】
【００１０】
本願発明では、背もたれはブラケットと背支柱とに取り付けられているため、背もたれは座と分離した状態でしっかりと取り付けることができる。このため背もたれは座とは独立して変形したり多少は動いたりすることが可能であり、その結果、高いフィット性やクッション性を確保し得る。特に、背もたれは着座した人の体圧で撓み変形する柔軟性があるため、フィット性・クッション性に優れている。
【００１１】
そして、サイドフレームのアッパーメンバーに背もたれを連結するのではなく、アッパーメンバー及び背支柱と別部材であるブラケットに背もたれを連結するものであり、ブラケットは背もたれに応じた形態・構造に精度良く製造できるため、背もたれが複雑な構造・形態であっても簡単に適応できる。
【００１２】
背支柱はサイドフレームに固定することも可能であるが、請求項３のように座の下面に固定すると、座が椅子の骨組みを構成する強度メンバーの一部を兼用するため、椅子の全体の構造が簡単になる利点がある。
【００１３】
サイドフレームのアッパーメンバーに肘当てを取り付ける方法としては、例えば肘当てをアッパーメンバーに前後複数本のビスで固定することや、アッパーメンバーに下方から重なる当て板を設けて当て板と肘当てとをビスで締結することなども可能であるが、請求項３のように構成すると、背もたれを取り付けるためのブラケットが肘当ての取り付け部材を兼用するため、それだけ構造が簡単になる利点がある。更に請求項４の構成を採用すると、肘当てはその前部を１本のビスでアッパーメンバーに固定するだけで良いため、組立作業性を向上できる。
【発明を実施するための最良の形態】
【００１４】
次に、図面を参照して本願発明の実施形態を説明する。本実施形態は、会議室や講演会場等に設置されることが多い簡易タイプの椅子に適用している。
【００１５】
(1).椅子の概略
まず、図１〜図６に基づいて椅子の概略を説明する。図１は椅子の概略斜視図、図２のうち（Ａ）は椅子の側面図、（Ｂ）は背支柱の側面図、（Ｃ）は背支柱の正面図、図３のうち（Ａ）は脚フレームの斜視図、（Ｂ）は背支柱の下部の正面図、（Ｃ）は座の縦断側面図、図４のうち（Ａ）は背もたれ２の側面図、（Ｂ）は背もたれ２の縦断側面図、図５のうち（Ａ）は背もたれ２の底面図、（Ｂ）は図４（Ａ）のVB-VB 視断面図、（Ｃ）は図４（Ａ）のVC-VC 視断面図、図６は一部の部材を断面表示した分離平面図である。
【００１６】
図１や図２（Ａ）に示すように、椅子は、座１、背もたれ２、座１の左右両側に配置された丸パイプ製のサイドフレーム３を備えている。サイドフレーム３は、座１の前端近くにおいて若干後傾しつつ上下方向に延びる起立部３ａと、起立部３ａの下端から後ろ向きに延びる水平状の接地部３ｂと、起立部３ａの上端から後ろ向きに延びるアッパーメンバー３ｃとを有しており、全体的には側面視でコ字状に近い形態になっている。アッパーメンバー３ｃは側面視で下向き凹状に緩い曲率で湾曲しており、前端よりも後端が低くなるように全体的に傾斜している。そして、アッパーメンバー３ｃには肘当て４が装着されている。
【００１７】
左右サイドフレーム３における接地部３ｂの後端は、後部横杆５を介して一体に連続している。また、図３（Ａ）（Ｃ）に示すように、左右サイドフレーム３の起立部３ａには、平面視後ろ向き凸形の前部ステー６が溶接よって固定されている。従って、本実施形態では、サイドフレーム３と後部横杆５と前部ステー６とで脚フレームが構成されている。
【００１８】
図３（Ｃ）に示すように、座１は中空の座本体７とその上面に張ったクッション７ａとを備えている。座本体７は樹脂を素材にしたブロー成形によって中空に製造されている。そして、座１の略前半部は前部ステー６に複数本のビス８で固定されている。ビス８は押さえ部材９を介してナット１０にねじ込まれており、ナット１０は座本体７の上面に形成した凹所に回転不能に嵌まっている。なお、図３（Ｃ）において座本体７の上面は左右中間部とその両側とに段差がある状態に描かれているが、これは断面表示の切断箇所が３カ所で相違するためであり、実際には座本体７の上面は滑らかに連続している。
【００１９】
座１の後部には、背支柱１１がビス１２で固定されている。すなわち、図２（Ｂ）（Ｃ）に示すように、背支柱１１は、背もたれ２の左右側縁の左右内側に配置された左右２本の丸パイプから成っており、その下端を前向きに折り曲げてこの前向き部に左右横長で広い面積の当て板１３を溶接によって固着し、当て板１３を前後左右４本のビス１２で座本体７に締結している。ビス１２はナット１４にねじ込まれており、ナット１４は座本体７の上面部に形成した凹所に回転不能に嵌まっている。
【００２０】
なお、図３（Ｃ）のとおり、座本体７のうち当て板１３の手前側の部分は他の部分に比べて全体の厚さが厚い肉厚部７ｂになっている。これは、背もたれ２に作用した荷重が背支柱１１を介して手前側に向いた押圧力として作用することから、強度を確保するための措置である。
【００２１】
背もたれ２はエラストマー系の柔軟な素材から成っており、全体的に平面視では前向き凹状に湾曲しつつ、着座した人の腰が当たる部分は側面視（及び縦断側面視）で前向き凸状に湾曲したランバーサポート部２ａになっている。また、前面と背面には多数の縦リブ１５が形成されている。例えば図４に示すように、背もたれ２の上部には後ろ向きに開口した固定部２ｂが形成されている一方、背支柱１１の上端にはアッパープレート１６が一体に設けられており、背もたれ２の固定部２ｂは、アッパープレート１６にビス及びナット（いずれも図示せず）の群で締結されている。
【００２２】
図２（Ａ）（Ｂ）に示すように、背支柱１１は背面視で縦長矩形のメインカバー１７によって後ろから覆われている。また、背支柱１１の上端に設けたアッパープレート１６はメインカバー１７に被さる形態の上カバー１８で覆われており、更に、背支柱１１の下端に固定した当て板１３の部分は下カバー１９で覆われている。
【００２３】
(2).背もたれの下部の連結構造
図４，５に示すように、背もたれ２のうちランバーサポート部２ａの左右両端部には、後ろ向きに突出する中間軸受けリブ２１が一体に形成されており、また、背もたれ２の下端部には、左右中間位置に寄った状態で左右２個の下軸受けリブ２２が後ろ向きに突設されている。中間軸受けリブ２１は２個で１セットになっている。
【００２４】
そして、図１，図２（Ａ）や図６に表れているように、サイドフレーム３のアッパーメンバー３ｃと背支柱１１とにはブラケット２３が固定されており、このブラケット２３に背もたれ２の中間軸受けリブ２１が連結されており、また、背もたれ２の下軸受けリブ２２はメインカバー１７の下部に連結されている。これらの点を、従前の図（特に図６）に加えて図７，８も参照して説明する。
【００２５】
図７のうち（Ａ）はブラケット２３を中心にした部分の一部破断平面図、（Ｂ）は（Ａ）のＢ−Ｂ視断面図、（Ｃ）は（Ａ）のＣ−Ｃ視断面図、（Ｄ）はブラケット２３の正面図、（Ｅ）はブラケット２３の側面図（（Ａ）のＥ−Ｅ視断面図）、図８のうち（Ａ）は背もたれ２の下軸受けリブ２２の箇所での連結構造を示す平断面図、（Ｂ）は連結した状態での（Ａ）のＢ−Ｂ視断面図である。なお、図６，７においてブラケット２３は底面視での形態を描いている。
【００２６】
ブラケット２３は樹脂成形品又はアルミダイキャスト品であり、図６や図７に示すように、背支柱１１に固定される上下長手の基部２３ａ、基部２３ａの上部から左右外向きに延びる横向きアーム部２３ｂ、横向きアーム部２３ｂの先端から手前に向けて延びる前向きアーム部２３ｃ、前向きアーム部２３ｃの前端に前向き突設したボス部２３ｄ、の各部分から成っている。従って、ブラケット２３は、背支柱１１を起点にすると、背もたれ２の後ろ側から外側に回り込んで手前に延びる形態になっている。ボス部２３ｄは、サイドフレーム３のアッパーメンバー３ｃに嵌め込まれている。
【００２７】
図７（Ａ）に示すように、ブラケット２３における基部２３ａの背面は背支柱１１に嵌まるように円弧溝になっており、そして、図７（Ｂ）に示すように、基部２３ａは上下２本のビス２４で背支柱１１に固定されている（ビス２４が嵌まる座ぐり穴を符号２５で示している。）。
【００２８】
また、図６及び図７（Ａ）に示すように、横向きアーム部２３ｂの前面に、背もたれ２の中間軸受けリブ２１に内側から重なるインナー軸受け２６をビス２７で固定している一方、前向きアーム部２３ｃに、背もたれ２における中間軸受けリブ２１の外側に位置するアウター軸受け２８を一体に設け、背もたれ２の中間軸受けリブ２１が連結軸２９を介してインナー軸受け２６とアウター軸受け２８とに連結されている。中間軸受けリブ２１とアウター軸受け２８との間にはカラー３０が配置されている。アウター軸受け２８を横向きアーム部２３ｂに形成して、カラー３０を無くすことも可能である。
【００２９】
図８に示すように、背もたれ２の下軸受けリブ２２には、左右長手の１本のジョイント３１が軸３２で連結されている。ジョイント３１は基本的には筒状で、その左右両端寄り部位に、下軸受けリブ２２に嵌まる前向き開口部３３を有する大径部３１ａが形成されている。また、大径部３１ａの左右両側の部分にはブッシュ３４が嵌まっている。他方、背支柱１１を覆うメインカバー１７の下部には、ジョイント３１のうち大径部３１ａの内側の部分が嵌まる前向き開口穴３５を有する左右一対の支持片３６が一体に形成されている。前向き開口穴３５は先端部が窄まっており、従って、ジョイント３１は前向き開口穴３５に強制的に嵌め込まれる。
【００３０】
強制的な嵌め込みに際して容易に弾性変形するように、支持片３６にはスリット３７を形成している。メインカバー１７は下カバー１８と前後左右にずれ不能に噛み合うようになっており、そこで、図８において符号３８で示すように、メインカバー１７の下部には穴が空いた左右一対の舌片３８を設けて、舌片３８を下カバー１８の受け爪（図示せず）に嵌め込んでいる。図示は省略するが、下カバー１８はビスで座本体７に固定されている。なお、背もたれ２の下軸受けリブ２２は、ブラケット類を介して背支柱１１又は座本体７に連結することも可能である。
【００３１】
(3).肘当ての取り付け
次に、従前の図に加えて図９〜図１２も参照して肘当て４を説明する。図９のうち（Ａ）は肘当て４の平面図、（Ｂ）は（Ａ）のＢ−Ｂ視断面図側面図、（Ｃ）は（Ａ）のＣ−Ｃ視断面図正面図、（Ｄ）は（Ｂ）のＤ−Ｄ視断面図、図１０のうち（Ａ）は分離側断面図、（Ｂ）はブラケット２３のボス部２３ｄの側面図、（Ｃ）は肘当て４の前部を固定した状態での縦断側面図、図１１は分離平面図、図１２のうち（Ａ）は肘当て４の取り付け手順を示す側断面図、（Ｂ）は取り付け後の側断面図である。
【００３２】
肘当て４は、サイドフレーム３におけるアッパーメンバー３ｃの略全体に上から重なる前後長さであり、前端部には、サイドフレーム３の起立部３ａの上部に手前から重なる下向き凸部４ａが形成されている。また、図９（Ｄ）から理解できるように、肘当て４はアッパーメンバー３ｃの外径の略３倍程度の横幅があり、全体として下向き開口樋状に形成されている。そして、内部にはアッパーメンバー３ｃを左右両側から挟む前後長手の左右の縦リブ４０が一体に形成されており、左右縦リブ４０の間には、アッパーメンバー３ｃにきっちり重なる下向きの横リブ４１が前後に適宜間隔で複数枚形成されている。縦リブ４０の外側には横長のリブ４２が一体に形成されている。
【００３３】
肘当て４の前端寄り部位でかつ左右中間部に、サイドフレーム３のアッパーメンバー３ｃに設けた穴に嵌まる筒形突起４ｂが一体に形成されており、アッパーメンバー３ｃに下方から挿入したフロントビス４４が筒形突起４ｂにねじ込まれている。これにより、肘当て４はその前部においてアッパーメンバー３ｃに締結されている。
【００３４】
他方、既述のとおりブラケット２３のボス部２３ｄはアッパーメンバー３ｃの後部に後ろから挿入されており、ボス部２３ｄの先端寄り部位に、上下に貫通する貫通穴４５と、貫通穴４５と一体に連続した上向き凹状のナット受け部４６′とが形成されており、ナット受け部４６′に角形ナット４６が回転不能に嵌め込まれており、アッパーメンバー３ｃに下方から挿入されたリアビス４７が角形ナット４６に下方からねじ込まれている。
【００３５】
図９，１０に示すように、肘当て４の後端部で左右中間部には側面視で後ろ向き鉤状の係合爪４８が下向きに突設されている一方、ブラケット２３のボス部２３ｄには、係合爪４８が上向き動不能に嵌まる係合穴４９が形成されている。また、アッパーメンバー３ｃの後端部には、係合爪４８の嵌め込みを許容するための逃がし穴５０が空いている。係合穴４９の後部は下向きに開口しているが、これはブラケット２３を成形するに際して金型をいわゆる抜き違いさせるために生じたものである。ブラケット２３におけるボス部２３ｄの外側面は、若干切欠かれていて平坦面になっている。
【００３６】
上記の説明から理解できるように、肘当て４を取り付けるに当たっては、図１２（Ａ）のように肘当て４を傾けた姿勢にしてまず係合爪４８をボス部２３ｄの係合穴４９に差し込み、次いで、係合爪４８を支点にして倒すことで肘当て４をアッパーメンバー３ｃに重ね、それからフロントビス４４とリアビス４７とをねじ込むことになる。ブラケット２３がアルミダイキャスト製である場合は、リアビス４７はボス部２３ｄにねじ込むことも可能である。
【００３７】
(4).まとめ
以上の構成において、着座した人が背を伸ばした状態ではその腰部が背もたれ２のランバーサポート部２ａで支えられており、これによって上半身は安定良く支えられている。そして、着座した人が背もたれ２に凭れ掛かると、背もたれ２はランバーサポート部２ａが伸び変形しつつ後ろ向きに沈むように撓み変形し、これによって高いフィット性とクッション性とが付与される。
【００３８】
また、背もたれ２の下軸受けリブ２２はメインカバー１７で支えられているため、背もたれ２は上端部と下端部とで背支柱１１に突っ張った状態になっており、このため背もたれ２が過度に変形することはなくて、人の身体は的確に支えられる。
【００３９】
また、アッパーメンバー３ｃと背支柱１１とがブラケット２３を介して連結されていることと、背支柱１１とサイドフレーム３とが座本体７を介して連結されていることとにより、サイドフレーム３とブラケット２３と背支柱１１と座本体７とで閉じた状態の構造体が構成されており、これにより、サイドフレーム３とブラケット２３と背支柱１１と座本体７とが互いに補強し合って全体として頑丈な構造になっている。
【００４０】
そして、背もたれ２の中間軸受けリブ２１はブラケット２３に連結されているが、ブラケット２３は背支柱１１及びサイドフレーム３とは別構造体であるため複雑な形状であっても精度良く容易に製造でき、このため、中間軸受けリブ２１を有する背もたれ２であっても特段の支障なく取り付けられる。また、背もたれ２を連結するためのブラケット２３を使用して肘当て４を取り付けるものであるため、それだけ構造が簡単になる。更に本実施形態のように背もたれ２の下端部をメインカバー１７（或いは背支柱１１）に連結すると、ランバーサポート部２ａの形態が的確に保持されるため特に好ましい。
【００４１】
なお、背支柱１１は、例えばサイドフレーム３における後部横杆５に連結することも可能である。また、アッパーメンバー３ｃの下面に当て部材を配置して、当て部材と肘当て４とをビスで締結するといったことも可能である。また、背もたれは、樹脂製等のシェル体にクッションを張った構造とすることも可能である。なお、背支柱１１と当て板１３とアッパープレート１６とを含んだ全体をバックフレームと呼ぶことも可能である。
【００４２】
(5).その他
本願発明は、上記の実施形態の他にも様々に具体化することができる。例えばサイドフレーム３はアッパーメンバー３ｃを備えていれば足りるのであり、脚フレームとしてサイドフレームの他の要素を含んでいてもよい。また、背支柱の素材や形態は必要に応じて任意に選択できるのであり、例えば板金製やアルミダイキャスト製とすることも可能である。また、上記の実施形態ではブラケットは左右に分離しているが、一体に連続させてもよい。
【００４３】
また、サイドフレーム３を丸棒製として、アッパーメンバーの後端部をブラケットに設けた穴に挿入固定するといったことも可能である。更に、肘当てにパッドを取り付けることも可能である。
【図面の簡単な説明】
【００４４】
【図１】実施形態に係る椅子の概略斜視図である。
【図２】（Ａ）は椅子の側面図、（Ｂ）は背支柱の側面図、（Ｃ）は背支柱の正面図である。
【図３】（Ａ）は脚フレームの斜視図、（Ｂ）は背支柱の下部の正面図、（Ｃ）は座の部分縦断側面図である。
【図４】背もたれの側面図及び縦断側面図である。
【図５】（Ａ）は背もたれ２の底面図、（Ｂ）は図４（Ａ）のVB-VB 視断面図、（Ｃ）は図４（Ａ）のVC-VC 視断面図である。
【図６】一部の部材を断面表示した分離平面図である。
【図７】ブラケットの形態と背もたれの取り付け構造とを示す図である。
【図８】（Ａ）は背もたれの下軸受けリブの箇所での連結構造を示す平断面図、（Ｂ）は連結した状態での（Ａ）のＢ−Ｂ視断面図である。
【図９】肘当ての構造を示す図である。
【図１０】肘当ての形態と取り付け構造とを示す図である。
【図１１】肘当とブラケットとの分離平面図である。
【図１２】（Ａ）は肘当ての取り付け手順を示す側断面図、（Ｂ）は取り付け後の側断面図である。
【符号の説明】
【００４５】
１  座
２  背もたれ
３  サイドフレーム
３ｃ  アッパーメンバー
４  肘当て
１１  背支柱
１３  背支柱の下端に設けた当て板
１６  背支柱の上端に設けたアッパープレート
２１  背もたれをその下端より部位で連結するための中間軸受けリブ
２２  背もたれをその下端部で連結するための下軸受けリブ
２３  ブラケット
３１  背もたれの下部を連結するためのジョイント
４４  肘当てを固定するためのフロントビス
４８  肘当ての係合爪
４９  係合穴
【図１】
0005161541.tif 000002
【図２】
0005161541.tif 000003
【図３】
0005161541.tif 000004
【図４】
0005161541.tif 000005
【図５】
0005161541.tif 000006
【図６】
0005161541.tif 000007
【図７】
0005161541.tif 000008
【図８】
0005161541.tif 000009
【図９】
0005161541.tif 000010
【図１０】
0005161541.tif 000011
【図１１】
0005161541.tif 000012
【図１２】
0005161541.tif 000013